【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
環境を照光するための光を放出するために複数の照明デバイスを制御するための制御装置であって、各照明デバイスが、少なくとも１つのそれぞれの設定に依存し、前記制御装置が、
カメラによって捕捉される、ユーザの少なくとも１つの角膜の少なくとも一部から前記カメラに反射された光によって形成される角膜像を取得することと、
前記照明デバイスによって放出される前記光に基づいて、前記複数の照明デバイスのうちの、前記角膜像内に現れているか及び／又は影響を及ぼす照明デバイスを識別することと、
識別された前記照明デバイスのどれが角膜像内に現れているか及び／又は影響を及ぼすかに基づいて、識別された前記照明デバイスの１つ又は複数の前記それぞれの設定に対する更新を自動的に決定することと、
前記更新に従って前記１つ又は複数の識別された照明デバイスを制御することと、
前記ユーザが移動して前記角膜像が変化するときに、前記取得、決定、及び制御を繰り返して、前記識別された照明デバイスの前記設定を動的に適合させることと
を行う、制御装置。
【請求項２】
前記決定が、
角膜像に対する前記１つ又は複数の照明デバイスの位置に基づいて、前記それぞれの設定に対する前記更新を自動的に決定すること
を含む、請求項１に記載の制御装置。
【請求項３】
位置に依存する前記決定は、
前記１つ又は複数の照明デバイスが直接的に前記角膜像内に現れているかどうかに依存して、前記１つ又は複数の照明デバイスの前記それぞれの設定に対する前記更新を自動的に決定すること
を含む、請求項２に記載の制御装置。
【請求項４】
位置に依存する前記決定は、
前記１つ又は複数の照明デバイスが間接的に前記角膜像を形成する光に寄与しているかどうかに依存して、前記１つ又は複数の照明デバイスの前記それぞれの設定に対する前記更新を自動的に決定すること
を含む、請求項２又は３に記載の制御装置。
【請求項５】
前記制御装置が、前記角膜像内で前記ユーザの視野を決定し、位置に依存する前記決定が、
前記視野内に現れているかどうかに依存して、及び／又は前記１つ又は複数の照明デバイスが前記視野内の光に寄与しているかどうかに依存して、前記１つ又は複数の照明デバイスの前記それぞれの設定に対する前記更新を自動的に決定すること
を含む、請求項２乃至４の何れか一項に記載の制御装置。
【請求項６】
前記ユーザの視野が、中心領域及び周辺領域を備え、位置に依存する前記決定が、
前記中心領域内に現れているかどうかに依存して、及び／又は前記１つ又は複数の照明デバイスが前記中心領域内の光に寄与しているかどうかに依存して、前記１つ又は複数の照明デバイスの前記それぞれの設定に対する前記更新を自動的に決定すること
を含む、請求項５に記載の制御装置。
【請求項７】
前記ユーザの視野が、中心領域及び周辺領域を備え、位置に依存する前記決定が、
前記周辺領域内に現れているかどうかに依存して、及び／又は前記１つ又は複数の照明デバイスが前記周辺領域内の前記光に寄与しているかどうかに依存して、前記１つ又は複数の照明デバイスの前記それぞれの設定に対する前記更新を自動的に決定すること
を含む、請求項５に記載の制御装置。
【請求項８】
前記更新が、
前記角膜像、視野、又は中心領域内の任意の照明デバイスをオン又は第１の光出力レベルに設定し、前記角膜像、視野、又は中心領域外の任意の照明デバイスをオフ又は前記第１の光出力レベルよりも低い第２の光出力レベルに設定すること
を含む、請求項３乃至７の何れか一項に記載の制御装置。
【請求項９】
前記更新は、前記ユーザが移動するときに、前記角膜像、視野、又は中心領域に現在現れている任意の照明デバイスの前記設定に関して一定値を維持し、及び／又は前記ユーザが移動するときに、前記角膜像、視野、又は中心領域での前記光に現在寄与している任意の照明デバイスの前記設定に関して一定値を維持することを含む、請求項３乃至８の何れか一項に記載の制御装置。
【請求項１０】
前記決定が、
所定の物体が前記角膜像、視野、若しくは中心領域内に現れたことの検出に応答して、前記更新を自動的に決定すること、
前記角膜像、視野、若しくは中心領域で測定されたコントラストの尺度に基づいて、前記更新を自動的に決定すること、及び／又は
前記角膜像、視野、若しくは中心領域での強度が閾値を超えたことの検出に応答して、１つ若しくは複数の照明デバイスの強度を自動的に減少させること
の１つ又は複数を含む、請求項１乃至９の何れか一項に記載の制御装置。
【請求項１１】
前記制御装置が、データベースから１つ又は複数の予め設定された照明制御規則を読み出し、前記照明制御規則が、ユーザによって予め設定され、
適用されるべき前記更新が、前記１つ又は複数の予め設定された照明制御規則に従って決定される、請求項１乃至１０の何れか一項に記載の制御装置。
【請求項１２】
前記制御装置が、
前記それぞれの照明デバイスによって放出される符号化光信号、
前記それぞれの照明デバイスのスペクトル、及び／又は
前記それぞれの照明デバイスの位置
の１つ又は複数に基づいて、前記１つ又は複数の照明デバイスそれぞれを識別する、請求項１乃至１１の何れか一項に記載の制御装置。
【請求項１３】
請求項１乃至１２の何れか一項に記載の制御装置と、前記カメラと、１つ又は複数の制御可能な照明デバイスの前記構成とを備える、システム。
【請求項１４】
環境を照光するための光を放出するために複数の照明デバイスを制御するための方法であって、各照明デバイスが、少なくとも１つのそれぞれの設定に依存し、制御装置が、
カメラによって捕捉される、ユーザの少なくとも１つの角膜の少なくとも一部から前記カメラに反射された光によって形成される角膜像を取得することと、
前記照明デバイスによって放出される前記光に基づいて、前記複数の照明デバイスのうちの、前記角膜像内に現れているか及び／又は影響を及ぼす照明デバイスを識別することと、
識別された前記照明デバイスのどれが前記角膜像内に現れているか及び／又は影響を及ぼすかに基づいて、識別された前記照明デバイスのうちの１つ又は複数の前記それぞれの設定に対する更新を自動的に決定することと、
前記更新に従って前記識別された照明デバイスのうちの前記１つ又は複数を制御することと、
前記ユーザが移動して前記角膜像が変化するときに、前記取得、決定、及び制御を繰り返して、前記照明デバイスの前記設定を動的に適合させることと
を行う、方法。
【請求項１５】
環境を照光するための光を放出するために複数の照明デバイスを制御するためのコンピュータプログラムであって、各照明デバイスが、少なくとも１つのそれぞれの設定に依存し、前記コンピュータプログラムが、コードを備え、コードが、１つ又は複数のコンピュータ可読記憶媒体に具現化され、１つ又は複数のプロセッサで実行されるときに、
カメラによって捕捉される、ユーザの少なくとも１つの角膜の少なくとも一部から前記カメラに反射された光によって形成される角膜像を受信することと、
前記照明デバイスによって放出される前記光に基づいて、前記複数の照明デバイスのうちの、前記角膜像内に現れているか及び／又は影響を及ぼす照明デバイスを識別することと、
識別された照明デバイスのどれが角膜像内に現れているか及び／又は影響を及ぼすかに基づいて、識別された前記照明デバイスの１つ又は複数の前記それぞれの設定に対する更新を自動的に決定することと、
前記更新に従って前記１つ又は複数の識別された照明デバイスを制御することと、
前記角膜像が変化するように前記ユーザが移動するときに、前記取得、決定、及び制御を繰り返して、前記照明デバイスの前記設定を動的に適合させることと
を行う、コンピュータプログラム。